(57)【特許請求の範囲】
【請求項１】
表示面に画像を表示する表示部と、
前記表示面上の位置を指示する指示体と通信する通信部と、
前記指示体を用いて、前記表示面に表示される画像を表す画像情報の出力が指示された
場合に、当該指示体に保持されている出力先を特定する出力先情報を、前記通信部を介し
て取得する取得部と、
取得された前記出力先情報によって特定される出力先に、前記画像情報を出力する制御
を行う出力制御部と
を備える表示装置。
【請求項２】
前記指示体によって指示されている前記表示面上の位置を検出する位置検出部と、
検出された前記位置に応じた処理を実行する処理実行部と
を備える請求項１に記載の表示装置。
【請求項３】
前記処理実行部は、検出された前記位置に基づいて、前記指示体の軌跡を示す画像を前
記表示面に表示し、
前記出力制御部は、前記軌跡を示す画像を含む前記画像情報を出力する
ことを特徴とする請求項２に記載の表示装置。
【請求項４】
前記通信部を介して、前記指示体に前記出力先情報を設定する設定部を備える
ことを特徴とする請求項１から請求項３のいずれか１項に記載の表示装置。
【請求項５】
前記出力先情報は、前記出力先を識別する識別情報を含み、
前記識別情報と前記出力先との対応関係を記憶する記憶部を備え、
前記出力制御部は、
取得された前記識別情報と前記対応関係のある前記出力先に、前記画像情報を出力する
ことを特徴とする請求項１から請求項４のいずれか１項に記載の表示装置。
【請求項６】
表示部により画像が表示される表示面上の位置を指示する指示体と通信する表示装置が
、
前記指示体を用いて、前記表示面に表示される画像を表す画像情報の出力が指示された
場合に、当該指示体に保持されている出力先を特定する出力先情報を取得するステップと
、
取得した前記出力先情報によって特定される出力先に、前記画像情報を出力する制御を
行うステップと
を備える表示方法。
【請求項７】
表示装置と、指示体とを備える表示システムであって、
前記表示装置が、
表示面に画像を表示する表示部と、
前記指示体と通信する通信部と、
前記指示体を用いて、前記表示面に表示される画像を表す画像情報の出力が指示された
場合に、当該指示体に保持されている出力先を特定する出力先情報を、前記通信部を介し
て取得する取得部と、
取得された前記出力先情報によって特定される出力先に、前記画像情報を出力する制御
を行う出力制御部と
を有し、
前記指示体が、
前記画像情報の出力が指示された場合に、前記出力先情報を前記表示装置へ送信する送
信部
を有する表示システム。
【発明の詳細な説明】
【技術分野】
【０００１】
本発明は、プロジェクター等の表示装置により表示される画像を表す画像情報の出力に
関する。
【背景技術】
【０００２】
インタラクティブホワイトボードと呼ばれる製品では、プロジェクター等の表示装置に
よって表示面に表示された画像に重ねて、例えばペン型のデバイスを用いて、ユーザーの
手書きの画像を描画することができる。特許文献１は、ユーザーが使用するデバイスに、
手書きの画像に関する処理に関する権限を付与しておき、この権限に従って、手書きの画
像の保存、印刷、削除或いは暗号化の処理を行うことを開示している。
【先行技術文献】
【特許文献】
【０００３】
【特許文献１】特開２０１３−２３５４１６号公報
【発明の概要】
【発明が解決しようとする課題】
【０００４】
インタラクティブホワイトボードでは、ユーザーの手書きの画像の印刷や、保存、送信
等を行うためのデータの出力機能が搭載されていることが多い。しかし、この出力機能の
設定に関する操作が、ユーザーにとって煩わしい場合がある。例えば、印刷の場合、ユー
ザーは、使用可能な複数のプリンターの中から、印刷に使用するプリンターを選択する操
作を行わなければならない。保存の場合、ユーザーは、ＵＳＢ（Universal Serial Bus）
メモリーやＳＤカード等の可搬型の記憶媒体、及びネットワーク上のサーバー装置等の複
数の保存先の中から、いずれかを選択する操作を行わなければならない。電子メールを用
いてデータを送信する場合、ユーザーは、複数のメールアドレスが登録されたリストの中
から、送信先のメールアドレスを選択する操作を行わなければならない。例えば、インタ
ラクティブホワイトボードを用いた会議が行われた後、参加者が速やかに会議室から退室
しなければならないような場合、データの出力機能に関する詳細な設定をその場で行うこ
とは難しい。
本発明は、上述した事情に鑑みてなされたもので、その目的の一つは、表示面に表示さ
れる画像を表す画像情報を、ユーザーの所望する出力先へ出力するための設定を、従来よ
りも短い時間で簡単に行えるようにすることである。
【課題を解決するための手段】
【０００５】
上記目的を達成するために、本発明に係る表示装置は、表示面に画像を表示する表示部
と、前記表示面上の位置を指示する指示体と通信する通信部と、前記指示体を用いて、前
記表示面に表示される画像を表す画像情報の出力が指示された場合に、当該指示体に保持
されている出力先を特定する出力先情報を、前記通信部を介して取得する取得部と、取得
された前記出力先情報によって特定される出力先に、前記画像情報を出力する制御を行う
出力制御部とを備える。
この発明によれば、指示体に保持されている出力先情報により特定される出力先に、画
像情報を出力するので、表示面に表示される画像を表す画像情報を、ユーザーの所望する
出力先へ出力するための設定を、従来よりも短い時間で簡単に行えるようにすることがで
きる。
【０００６】
本発明において、前記指示体によって指示されている前記表示面上の位置を検出する位
置検出部と、検出された前記位置に応じた処理を実行する処理実行部とを備えてもよい。
この発明によれば、指示体によって指示された表示面上の位置に応じた処理を行うこと
ができる。
【０００７】
この発明において、前記処理実行部は、検出された前記位置に基づいて、前記指示体の
軌跡を示す画像を前記表示面に表示し、前記出力制御部は、前記軌跡を示す画像を含む前
記画像情報を出力してもよい。
この発明によれば、指示体を用いて描画された画像を含む画像情報を、従来よりも短い
時間で簡単にユーザーの所望する出力先へ出力することができる。
【０００８】
本発明において、前記通信部を介して、前記指示体に前記出力先情報を設定する設定部
を備えてもよい。
この発明によれば、表示装置の機能により、指示体に対して出力先情報を設定すること
ができる。
【０００９】
本発明において、前記出力先情報は、前記出力先を識別する識別情報を含み、前記識別
情報と前記出力先との対応関係を記憶する記憶部を備え、前記出力制御部は、取得された
前記識別情報と前記対応関係のある前記出力先に、前記画像情報を出力してもよい。
この発明によれば、出力先の設定に係る情報を指示体が保持しなくてよいので、指示体
が保持すべきデータのデータ量を少なくすることができる。
【００１０】
本発明は、表示装置のほか、表示方法及び表示システムとしても観念することが可能で
ある。
【図面の簡単な説明】
【００１１】
【図１】本発明の第１実施形態に係る表示システムの全体構成を示す図。
【図２】同実施形態に係るプロジェクターのハードウェア構成を示すブロック図。
【図３】同実施形態に係る出力設定テーブルの構成例を示す図。
【図４】同実施形態に係る指示体のハードウェア構成を示すブロック図
【図５】同実施形態に係る指示体の機能の説明図。
【図６】同実施形態に係る表示システムの動作を示すシーケンス図。
【図７】同実施形態に係るプロジェクターが表示するメニュー画面を示す図。
【図８】本発明の第２実施形態に係る指示体が保持するデータの構成例を示す図。
【図９】同実施形態に係る出力設定テーブルの構成例を示す図
【図１０】同実施形態に係る表示システムの動作を示すシーケンス図。
【図１１】本発明の第３実施形態に係る指示体が保持するデータの構成例を示す図。
【図１２】同実施形態に係る表示システムの動作を示すシーケンス図。
【発明を実施するための形態】
【００１２】
以下、本発明の実施の形態について図面を参照しつつ説明する。
［第１実施形態］
図１は、本発明の第１実施形態に係る表示システム１の全体構成を示す図である。図１
に示すように、表示システム１は、プロジェクター１０と、指示体２０と、ＰＣ（Person
al Computer）３０と、ネットワークプリンター５０Ａ，５０Ｂと、ネットワークサーバ
ー６０と、操作パネル７０と、ＵＳＢプリンター８０とを備える。
【００１３】
プロジェクター１０は、壁掛け式の短焦点型のプロジェクターであり、近距離に設置さ
れたスクリーン４０上に画像を投写する投写型の表示装置である。プロジェクター１０は
、例えばＲ（Red）、Ｇ（Green）、Ｂ（Blue）三原色の各色成分に対応した画像信号に基
づいて、スクリーン４０にカラーの画像を投写する。スクリーン４０は、ここでは反射型
のスクリーンであり、プロジェクター１０により画像が投写される投写面（即ち、表示面
）である。プロジェクター１０は、インタラクティブホワイトボードとして機能し、スク
リーン４０に対してユーザーＵが指示体２０を用いて行った操作を検出し、検出した操作
に応じた処理（例えば、手書きの画像の描画や、選択されたメニューに応じた処理）を実
行する。なお、プロジェクター１０は、壁掛け式の短焦点プロジェクターに限られず、机
上設置式や天吊り式のプロジェクターであってもよいし、通常焦点のプロジェクターであ
ってもよい。
【００１４】
指示体２０は、ここではペン型のデバイス（操作デバイス）であり、スクリーン４０上
の位置を指示するための指示体である。指示体２０は、文字や図形を手書きする操作を行
ったり、スクリーン４０に表示されたメニューを選択する操作を行ったりするために、ユ
ーザーＵにより使用される。指示体２０は、ペン型に限らず、棒形状等の他形状の操作デ
バイスであってもよい。
なお、図１には、指示体２０がユーザーＵにより使用される１台だけであるが、他のユ
ーザーによって使用される指示体２０が存在してもよい。
【００１５】
ＰＣ３０は、プロジェクター１０に入力される画像信号の信号源（映像ソース）となる
情報処理装置である。ＰＣ３０は、図１の例ではプロジェクター１０と無線ＬＡＮ（Loca
l Area Network）（図示略）を介して接続されているが、有線ＬＡＮやその他通信回線を
介してネットワークと接続されてもよい。また、ＰＣ３０は、所定のケーブルを介して指
示体２０と接続することも可能である。
【００１６】
ネットワークプリンター５０Ａ，５０Ｂの各々は、無線ＬＡＮを介して、プロジェクタ
ー１０と接続されたプリンター（印刷装置）である。ネットワークプリンター５０Ａ，５
０Ｂは、プロジェクター１０により送信された画像情報を受信すると、受信した画像情報
に基づいて画像を印刷する。
ネットワークサーバー６０は、無線ＬＡＮを介して、プロジェクター１０と接続された
サーバー装置である。ネットワークサーバー６０は、プロジェクター１０により送信され
た画像情報を受信すると、受信した画像情報を記憶（保存）する。また、ネットワークサ
ーバー６０は、インターネット等のネットワークＮＷと接続され、プロジェクター１０は
ネットワークサーバー６０を介してネットワークＮＷと接続する。ネットワークＮＷには
、例えば、プロジェクター１０が電子メールを送信するためのメールサーバー（図示略）
が接続されている。なお、プロジェクター１０とネットワークプリンター５０Ａ、５０Ｂ
やネットワークサーバー６０とは、有線ＬＡＮやその他通信回線を介してネットワーク接
続されてもよい。
【００１７】
操作パネル７０は、プロジェクター１０の操作を行うための操作装置で、ケーブルＣＶ
を介してプロジェクター１０と接続される。操作パネル７０は、プロジェクター１０の操
作を行うための操作子（例えば、物理ボタン）のほか、接続された外部装置との間でデー
タを入出力するためのインターフェースを備える。操作パネル７０は、例えば、自機に着
脱可能な外部記憶媒体７１との間で、データを入出力する。本実施形態では、外部記憶媒
体７１として、ＵＳＢメモリー７１Ａと、ＳＤカード７１Ｂとがある（図２参照）。また
、操作パネル７０は、ＵＳＢプリンター８０との間でデータを入出力する。
ＵＳＢプリンター８０は、ＵＳＢケーブルを介して操作パネル７０と接続されたプリン
ターである。ＵＳＢプリンター８０は、プロジェクター１０により送信された画像情報を
、操作パネル７０を介して受信すると、受信した画像情報に基づいて画像を印刷する。な
お、操作パネル７０は、プリンター本体に一体的に配設されていてもよい。
【００１８】
図２は、プロジェクター１０のハードウェア構成を示すブロック図である。図２に示す
ように、プロジェクター１０は、ＣＰＵ（Central Processing Unit）１１と、ＲＯＭ（R
ead Only Memory）１２と、ＲＡＭ（Random Access Memory）１３と、操作部１４と、画
像処理部１５と、投写部１６と、カメラ部１７と、記憶部１８と、通信インターフェース
１９とを備える。
ＣＰＵ１１は、ＲＯＭ１２又は記憶部１８に記憶されたプログラムを、ＲＡＭ１３に読
み出して実行することにより、プロジェクター１０の各部を制御するプロセッサーである
。操作部１４は、プロジェクター１０の電源のオン／オフや各種操作を行うための操作子
（例えば物理キー）を備えた操作手段である。画像処理部１５は、ＡＳＩＣ（Applicatio
n Specific Integrated Circuit）等の画像処理回路を備え、プロジェクター１０が行う
画像処理を司る。画像処理部１５は、例えばリサイズ処理や台形補正等の画像処理を行う
。
【００１９】
投写部１６は、画像処理部１５による画像処理後の画像情報に基づいて、スクリーン４
０上に画像を投写（表示）する。投写部１６は、光源１６１と、液晶パネル１６２と、光
学系１６３と、光源制御部１６４と、パネル駆動部１６５と、光学系駆動部１６６とを有
する。光源１６１は、例えばＬＥＤ（Light Emitting Diode）や半導体ダイオードを含む
固体光源で、液晶パネル１６２に光を射出する。液晶パネル１６２は、例えば透過型の液
晶パネルで、光源１６１から入射した光を変調する光変調器である。液晶パネル１６２は
、ＲＧＢの三原色の各色に対応して設けられる。光学系１６３は、例えばレンズやレンズ
調整用の駆動回路を備え、液晶パネル１６２により変調された光（画像光）を拡大して、
スクリーン４０上に投写する。光源制御部１６４は、ＣＰＵ１１の制御に従って光源１６
１を駆動する。パネル駆動部１６５は、ＣＰＵ１１から供給された画像信号に基づいて液
晶パネル１６２を駆動する。光学系駆動部１６６は、ＣＰＵ１１の制御に従って光学系１
６３の駆動回路を駆動する。
【００２０】
カメラ部１７は、イメージセンサー（例えばＣＭＯＳセンサー又はＣＣＤセンサー）を
有し、ＣＰＵ１１の制御に従って、スクリーン４０を撮像する。ＣＰＵ１１は、カメラ部
１７により撮像された指示体２０の発光光に基づいて、指示体２０を識別したり、指示体
２０により指示されたスクリーン４０上の位置を検出したりする。
なお、プロジェクター１０は、カメラ部１７を用いて指示体２０が指示する位置を検出
するのではなく、例えば、ライトカーテン等を用いた方法で指示体２０が反射する反射光
に基づいて指示する位置を検出してもよい。この場合は指示体２０としてユーザーの指等
を用いることもできる。
記憶部１８は、例えばＥＥＰＲＯＭ（Electronically Erasable and Programmable ROM
）等の記憶装置を有し、ＣＰＵ１１によって実行されるプログラム、及び出力設定テーブ
ル１８１を記憶する。
【００２１】
通信インターフェース１９は、接続された外部装置と通信し、この外部装置との間でデ
ータの入出力（送受信）を行う通信部として機能する。通信インターフェース１９は、前
述した指示体２０、ＰＣ３０、ネットワークプリンター５０Ａ，５０Ｂ、ネットワークサ
ーバー６０、操作パネル７０、ＵＳＢプリンター８０及び各々との間で、データの入出力
を行う。通信インターフェース１９は、例えば、Ｂｌｕｅｔｏｏｔｈ（登録商標）に準拠
した近距離無線通信、又は赤外線通信を指示体２０と行うことにより、指示体２０とデー
タの入出力を行う。通信インターフェース１９は、ＰＣ３０、ネットワークプリンター５
０Ａ，５０Ｂ、及びネットワークサーバー６０の各々とは、無線ＬＡＮを介した通信を行
うことにより、これらの各装置との間でデータの入出力を行う。通信インターフェース１
９は、操作パネル７０、及びＵＳＢプリンター８０の各々とは、ケーブルＣＶを介した通
信を行うことにより、これらの各装置との間でデータの入出力を行う。
【００２２】
図３は、記憶部１８に記憶された出力設定テーブル１８１の構成例を示す図である。
図３に示すように、出力設定テーブル１８１では、出力手段と、制御コードと、出力設
定情報との各情報が対応付けて格納されている。
出力手段は、スクリーン４０に投写される画像を表す画像情報の出力に用いられる手段
を示す。本実施形態の出力手段は、具体的には、「印刷」、「保存」、及び「メール送信
」等である。「印刷」は、画像情報が表す画像を印刷させる目的で、この画像情報を外部
のプリンターを出力先として出力する手段である。「保存」は、画像情報を保存（記憶）
する目的で、この画像情報を外部の記憶媒体を出力先として出力する手段である。「メー
ル送信」は、画像情報を電子メールを用いて送信する目的で、この画像情報（電子メール
）をネットワークＮＷ（メール受信端末）を出力先として出力する手段である。出力手段
は上述した例に限られない。
【００２３】
制御コードは、ここでは、１０進数で「０」〜「５」のいずれかの値で表されるデータ
で、画像情報の出力先を特定する出力先情報の一例である。出力設定情報は、制御コード
と一対一で対応付けられ、画像情報の出力先の設定内容を示す情報である。なお、図３の
例では、図面が煩雑になるのを防ぐために、出力設定情報として、画像情報の出力先の名
称が示されている。
出力手段が「印刷」の場合、出力設定情報は、出力先のプリンターに割り当てられたア
ドレス（ＩＰアドレス）や、プリンター名、カラーモード、用紙選択等の情報を含む。出
力手段が「保存」の場合、出力設定情報は、出力先の記憶装置に割り当てられたアドレス
（ＩＰアドレス）や、保存形式（ファイル形式）圧縮の有無等の情報を含む。出力手段が
「メール送信」の場合、出力設定情報は、出力先の装置（メールサーバー）に割り当てら
れたアドレス（ＩＰアドレス）や、サーバー名、ポート番号等の情報と、電子メールの送
信先のアドレスとを含む。
図３の出力設定テーブル１８１では、「印刷」、「保存」、及び「メール送信」の各出
力手段に、制御コード及び出力設定情報が２つずつ対応付けられている。
【００２４】
ここで、ＣＰＵ１１がプログラムを実行することにより実現する機能を説明する。ＣＰ
Ｕ１１は、図２に示すように、取得部１１１と、出力制御部１１２と、位置検出部１１３
と、処理実行部１１４と、設定部１１５とに相当する機能を実現する。
取得部１１１は、指示体２０を用いて、スクリーン４０に表示される画像を表す画像情
報の出力が指示された場合に、この指示体２０に保持されている出力先を特定する出力先
情報を、通信インターフェース１９を介して取得する。本実施形態では、取得部１１１は
、出力先情報として制御コードを取得する。
【００２５】
出力制御部１１２は、取得部１１１により取得された出力先情報（制御コード）によっ
て特定される出力先に、画像情報を出力する制御を行う。本実施形態では、出力制御部１
１２は、取得された制御コードに対応付けられた出力設定情報を、出力設定テーブル１８
１から取得し、取得した出力設定情報を用いて、画像情報を出力する。
【００２６】
位置検出部１１３は、カメラ部１７により撮像された指示体２０の発光光に基づいて、
指示体２０によって指示されているスクリーン４０上の位置を検出する。
処理実行部１１４は、位置検出部１１３により検出された、指示体２０により指示され
た位置に応じた処理を実行する。処理実行部１１４は、例えば、指示体２０の軌跡を示す
画像（以下「軌跡画像」という。）を生成して、スクリーン４０に描画（表示）する。ま
た、処理実行部１１４は、スクリーン４０に表示されたメニューを指示体２０を用いて選
択する操作が検出されると、選択されたメニューに応じた処理を実行する。
【００２７】
設定部１１５は、指示体２０に対して、通信インターフェース１９を介して出力先情報
（制御コード）を設定する。設定部１１５は、操作パネル７０の操作、又はＰＣ３０から
受信されたデータに基づいて、出力先情報を設定する。この出力先情報は、ＰＣ３０と指
示体２０との通信により指示体２０に設定されてもよく、この場合、設定部１１５の機能
が省略されてよい。
【００２８】
図４は、指示体２０のハードウェア構成を示すブロック図である。図４に示すように、指示体２０は、ＣＰＵ２１と、ＲＯＭ２２と、ＲＡＭ２３と、操作部２４と、発光部２５と、通信インターフェース２６と、記憶部２７とを備える。
ＣＰＵ２１は、ＲＯＭ２２に記憶されたプログラムを、ＲＡＭ２３に読み出して実行することにより、指示体２０の各部を制御するプロセッサーである。操作部２４は、各種操作を行うための操作子（例えば物理キー）を備えた操作手段である。発光部２５は、赤外光を発する発光ダイオードを有し、ＣＰＵ２１の制御に従って、点灯又は消灯する。通信インターフェース２６は、プロジェクター１０と通信（無線通信）し、プロジェクター１０との間でデータの入出力（送受信）を行う通信部である。通信インターフェース２６は、例えば、プロジェクター１０から赤外光で送られる信号を受信する。また、通信インターフェース２６は、Ｂｌｕｅｔｏｏｔｈ（登録商標）に準拠した近距離無線通信を、指示体２０と行うことにより、指示体２０とデータの入出力を行ってもよい。記憶部２７は、画像情報の出力先を特定する出力先情報として、制御コード２７１を記憶（保持）する。
【００２９】
図５は、操作部２４の機能を説明する図である。図５（Ａ）は、操作部２４の外観構成
を示す図で、図５（Ｂ）は、操作部２４の各操作子と、使用される制御コード２７１との
関係を示す図である。
図５（Ａ）に示すように、操作部２４は、指示体２０の筐体に設けられた操作子２４Ａ
，２４Ｂ，２４Ｃを備える。操作子２４Ａ，２４Ｂ，２４Ｃの各々は、ここではシーソー
スイッチ（ロッカースイッチ）であり、プロジェクター１０における各出力手段に対応し
て、１つずつ設けられている。操作子２４Ａは、出力手段として「印刷」に対応し、この
「印刷」に対応する制御コードを、ＵＳＢプリンターを出力先とすることを示す「０」、
又はネットワークプリンターを出力先とすることを示す「１」にするための操作子である
。操作子２４Ｂは、出力手段として「保存」に対応し、この「保存」に対応する制御コー
ドを、ＵＳＢメモリーを出力先とすることを示す「２」、又はネットワークサーバーを出
力先とすることを示す「３」にするための操作子である。操作子２４Ｃは、出力手段とし
て「メール送信」に対応し、この「メール送信」に対応する制御コードを、電子メールの
送信先を第１の出力先とすることを示す「４」、又は第２の出力先とすることを示す「５
」にするための操作子である。
ＣＰＵ２１は、操作子２４Ａ，２４Ｂ，２４Ｃの状態に応じた制御コードを、記憶部２
７から読み出して、通信インターフェース２６を介して、プロジェクター１０へ送信する
。
なお、操作子２４Ａ，２４Ｂ，２４Ｃの各々は、シーソースイッチに限られず、ダイヤ
ル方式やトグルスイッチ方式、タッチパネル方式等の方式のスイッチ（操作子）が採用さ
れてもよい。
【００３０】
図６は、表示システム１の動作を示すシーケンス図である。
プロジェクター１０のＣＰＵ１１は、ＰＣ３０から通信インターフェース１９を介して
取得した画像信号に基づいて投写部１６を制御し、スクリーン４０に背景画像を表示する
（ステップＳ１）。指示体２０のＣＰＵ２１は、電源がオンされると、発光部２５による
発光を開始する（ステップＳ２）。ＣＰＵ２１は、例えば、指示体２０を一意に識別し得
るように、自機に固有のパターンで発光及び消灯を繰り返すよう、発光部２５を制御する
。
【００３１】
ＣＰＵ１１は、指示体２０の発光光をカメラ部１７によって撮像すると（ステップＳ３
）、撮像した画像を解析して、スクリーン４０上を指示する指示体の位置を検出する（ス
テップＳ４）。ここでは、ＣＰＵ２１は、指示体２０を識別する識別情報と、スクリーン
４０上の指示体２０により指示された位置を示す位置情報（座標情報）とを生成する。
次に、ＣＰＵ１１は、指示体２０により指示されたスクリーン４０上の位置の軌跡を示
す軌跡画像を生成して、背景画像に重ねて軌跡画像を描画（表示）するように投写部１６
を制御する（ステップＳ５）。ＣＰＵ１１は、背景画像及び軌跡画像を合成した画像情報
を、記憶部１８に記憶させる。
【００３２】
次に、ＣＰＵ１１は、指示体２０を用いて、スクリーン４０に表示される画像を表す画
像情報の出力が指示されたか否かを判定する（ステップＳ６）。ＣＰＵ１１は、図７（Ａ
）に示すように、スクリーン４０上に表示された、出力手段「印刷」に対応するアイコン
Ｉ１と、出力手段「保存」に対応するアイコンＩ２と、出力手段「メール送信」に対応す
るアイコンＩ３とのいずれかを選択する操作を検出すると、選択されたアイコンに対応す
る出力手段を使用すると判定する。アイコンＩ１〜Ｉ３のいずれかが選択されると、ＣＰ
Ｕ１１は、図７（Ｂ）に示すメニュー画面Ｍ１を、スクリーン４０に表示する。図７（Ｂ
）に示すように、メニュー画面Ｍ１には、「ペンに登録された出力先に出力しますか？」
というメッセージと、「はい」と記されたソフトボタンＢ１と、「いいえ」と記されたソ
フトボタンＢ２とが含まれる。
アイコンＩ１〜Ｉ３を選択する操作を検出していない場合、又は、メニュー画面Ｍ１の
ソフトボタンＢ２を選択する操作を検出していない場合、ＣＰＵ１１はステップＳ６で「
ＮＯ」と判定し、ステップＳ１の処理に戻す。
【００３３】
メニュー画面Ｍ１のソフトボタンＢ１を選択する操作を検出した場合、ＣＰＵ１１はス
テップＳ６で「ＹＥＳ」と判定し、ステップＳ７の処理に進める。次に、ＣＰＵ１１は、
通信インターフェース１９を介して、指示体２０に対して制御コードの送信を要求する（
ステップＳ７）。指示体２０のＣＰＵ２１は、通信インターフェース２６を介して制御コ
ードの要求を取得すると、この要求に応答して、記憶部２７に記憶された制御コード２７
１のうち、操作子２４Ａ，２４Ｂ，２４Ｃの操作の状態に応じた制御コードを、プロジェ
クター１０へ送信する（ステップＳ８）。操作子２４Ａ，２４Ｂ，２４Ｃが、図５（Ａ）
に示す状態の場合、ＣＰＵ２１は、制御コードとして、「０」，「３」，「４」を送信す
る。
なお、制御コードの情報量は比較的小さいので、ＣＰＵ２１は、例えば赤外線通信によ
り制御コードを送信する。また、ステップＳ７で送信される要求に、使用する出力手段の
情報が含まれる場合、指示体２０は、この出力手段に対応する制御コードを送信してもよ
い。
【００３４】
プロジェクター１０のＣＰＵ１１は、通信インターフェース１９を介して指示体２０か
らの制御コードを取得する（ステップＳ９）。次に、ＣＰＵ１１は、取得した制御コード
に対応付けられた出力設定情報を、出力設定テーブル１８１から取得する（ステップＳ１
０）。ここにおいて、ＣＰＵ１１は、使用すると判定した出力手段に対応する出力設定情
報を取得する。例えば、ＣＰＵ１１は、出力手段として「印刷」を使用する場合、制御コ
ード「０」に対応付けられた、ＵＳＢプリンター８０の出力設定情報を取得する。ＣＰＵ
１１は、出力手段として「保存」を使用する場合、制御コード「３」に対応付けられた、
ネットワークサーバー６０の出力設定情報を取得する。ＣＰＵ１１は、出力手段として「
メール送信」を使用する場合、制御コード「４」に対応付けられた、メール受信端末ＭＡ
の出力設定情報を取得する。
【００３５】
次に、ＣＰＵ１１は、ステップＳ１０で取得した出力設定情報を用いて、スクリーン４
０に表示される画像を表す画像情報を出力する（ステップＳ１１）。ＣＰＵ１１は、現在
表示している画面を表す画像情報のほか、例えば、会議中に表示された全ての画面、又は
軌跡画像を含む全ての画面を表す画像情報を、記憶部１８から読み出して送信する。
ステップＳ１１において、ＣＰＵ１１は、出力手段として「印刷」を使用する場合、通
信インターフェース１９を介して、ＵＳＢプリンター８０に画像情報を送信（出力）し、
この画像情報が表す画像を印刷させる。ＣＰＵ１１は、出力手段として「保存」を使用す
る場合、通信インターフェース１９を介してネットワークサーバー６０に画像情報を送信
（出力）し、この画像情報を保存する。ＣＰＵ１１は、出力手段として「メール送信」を
使用する場合、メール受信端末ＭＡに画像情報を送信するように、画像情報を添付した電
子メールを、通信インターフェース１９を介して、ネットワークＮＷ（メールサーバー）
に送信（出力）する。
【００３６】
以上説明した第１実施形態の表示システム１によれば、ユーザーＵは、指示体２０の操
作子２４Ａ，２４Ｂ，２４Ｃの操作により、画像情報の出力先を選択することができる。
プロジェクター１０は、操作子２４Ａ，２４Ｂ，２４Ｃの操作の状態に応じた制御コード
を、指示体２０から取得し、取得した制御コードに対応付けられた出力設定情報を用いて
、画像情報を出力する制御を行う。よって、表示システム１によれば、ユーザーＵは、画
像情報の出力のたびに、スクリーン４０上に表示されたメニューを操作して、出力先の設
定を行う必要がない。よって、ユーザーＵは、画像情報を所望する出力先へ出力するため
の設定を、従来よりも短い時間で簡単に行うことができる。
【００３７】
［第２実施形態］
上述した第１実施形態では、指示体２０の操作部２４の操作の状態に応じて出力先が選
択されていたが、この第２実施形態では、指示体２０の記憶部２７に保持されているデー
タによって出力先が選択される。本実施形態において、上述した第１実施形態と同じ符号
を付した要素は、上述した第１実施形態と同等に機能し、符号の末尾に「Ａ」と付した要
素は、上述した第１実施形態で説明した各要素に対応した機能を実現する。
【００３８】
図８は、記憶部２７に記憶された制御コード２７１Ａの構成例を示す図である。図８に
示すように、制御コード２７１Ａは、１６ビット（２バイト）の情報で構成される。制御
コード２７１Ａのうち、上位８ビット（１バイト）は、軌跡画像の表示属性を特定する情
報であり、以下では「制御コードＡ」という。この表示属性は、軌跡画像の表示の属性を
指定する情報で、軌跡画像の表示の態様を指定する情報である。制御コードＡのうち、上
位４ビットが、軌跡画像の色に対応し、中位２ビットが軌跡画像の形（形状）に対応し、
下位２ビットが軌跡画像の太さに対応する。制御コード２７１Ａのうち、下位８ビット（
１バイト）は、画像情報の出力先を特定する情報であり、以下では「制御コードＢ」とい
う。制御コードＢのうち、上位４ビットが、出力手段「メール送信」における出力先を識
別し、中位２ビットが出力手段「保存」における出力先を識別し、下位２ビットが出力手
段「印刷」における出力先を識別する。
制御コード２７１Ａは、操作パネル７０の操作、又はＰＣ３０から受信されたデータに
基づいて事前に設定される。本実施形態でも、ＰＣ３０と指示体２０との通信により、指
示体２０に制御コード２７１Ａが設定されてもよい。
【００３９】
図９は、記憶部１８に記憶された出力設定テーブル１８１Ａの構成例を示す図である。
図９に示すように、出力設定テーブル１８１Ａでは、制御コードＡと、軌跡画像の表示
属性を示す表示属性情報との対応関係、及び制御コードＢと、出力設定情報との対応関係
とを示す情報が格納されている。上述した第１実施形態では、１の出力手段につき２つの
出力先が指定されていたが、本実施形態では、制御コードＢのビット数に応じた数だけ、
上述した第１実施形態よりも多くの出力先が指定し得る。例えば、電子メールの出力先は
、本実施形態では４ビットの情報で識別されるので、メール受信端末ＭＡ〜ＭＰの計１６
個の送信先からいずれかが選択される。また、本実施形態では、制御コードＡによって表
示属性が指定されるので、指示体２０を使用するユーザーに応じた表示属性で、軌跡画像
を描画することが可能となる。
【００４０】
図１０は、表示システム１の動作を示すシーケンス図である。
プロジェクター１０のＣＰＵ１１は、ＰＣ３０から通信インターフェース１９を介して
取得した画像信号に基づいて投写部１６を制御し、スクリーン４０に背景画像を表示する
（ステップＳ１）。指示体２０のＣＰＵ２１は、電源がオンされると、発光部２５による
発光を開始する（ステップＳ２）。次に、ＣＰＵ１１は、指示体２０の発光光をカメラ部
１７によって撮像すると（ステップＳ３）、撮像した画像を解析して、スクリーン４０上
を指示する指示体の位置を検出する（ステップＳ４）。
【００４１】
次に、指示体２０のＣＰＵ２１は、記憶部２７に記憶した制御コードＡを、通信インタ
ーフェース２６を介してプロジェクター１０に送信する（ステップＳ２１）。ＣＰＵ１１
は、ステップＳ２１で送信された制御コードＡを、通信インターフェース１９を介して取
得すると（ステップＳ２２）、取得した制御コードＡに対応付けられた表示属性情報を、
出力設定テーブル１８１Ａから取得し、取得した表示属性情報を設定する（ステップＳ２
３）。そして、ＣＰＵ１１は、指示体２０により指示されたスクリーン４０上の位置の軌
跡を示す軌跡画像を生成して、背景画像に重ねて描画（表示）するように投写部１６を制
御する（ステップＳ５Ａ）。この際、ＣＰＵ１１は、ステップＳ２３で取得した表示属性
情報が示す表示属性に従って軌跡画像を生成する。
【００４２】
次に、ＣＰＵ１１は、指示体２０を用いて、スクリーン４０に表示される画像を表す画
像情報の出力が指示されたか否かを判定する（ステップＳ６）。ステップＳ６で「ＹＥＳ
」と判定した場合、ＣＰＵ１１は、通信インターフェース１９を介して、指示体２０に対
して制御コードＢの送信を要求する（ステップＳ７Ａ）。指示体２０のＣＰＵ２１は、通
信インターフェース２６を介してこの要求を取得すると、この要求に応答して、制御コー
ドＢをプロジェクター１０へ送信する（ステップＳ８Ａ）。
【００４３】
プロジェクター１０のＣＰＵ１１は、通信インターフェース１９を介して指示体２０か
らの制御コードＢを取得する（ステップＳ９Ａ）。次に、ＣＰＵ１１は、取得した制御コ
ードＢに対応付けられた出力設定情報を、出力設定テーブル１８１Ａから取得する（ステ
ップＳ１０Ａ）。この際、ＣＰＵ１１は、使用する出力手段に対応する出力設定情報を取
得する。そして、ＣＰＵ１１は、ステップＳ１０Ａで取得した出力設定情報を用いて、ス
クリーン４０に表示した画像を表す画像情報を出力する（ステップＳ１１Ａ）。
【００４４】
例えば、制御コードＢの上位４ビットが「１１１１」で、出力手段として「メール送信
」を使用する場合、ＣＰＵ１１は、出力設定テーブル１８１Ａから取得したメール受信端
末ＭＰのメールアドレスを用いて、画像情報を送信（出力）する。制御コードＢの中位２
ビットが「０１」で、出力手段として「保存」を使用する場合、ＣＰＵ１１は、出力設定
テーブル１８１Ａから取得した出力設定情報を用いて、ＵＳＢメモリー７１Ａへ画像情報
を出力する。制御コードＢの下位２ビットが「０１」で、出力手段として「印刷」を使用
する場合、ＣＰＵ１１は、出力設定テーブル１８１Ａから取得した出力設定情報を用いて
、ＵＳＢプリンター８０へ画像情報を送信（出力）する。
【００４５】
以上説明した第２実施形態の表示システムにおいては、指示体２０に記憶された制御コ
ードＢにより、画像情報の出力先を選択することができる。よって、この表示システムに
よれば、上述した第１実施形態と同様、画像情報を所望する出力先へ出力するための設定
を、従来よりも短い時間で簡単に行えるようにすることができる。更に、本実施形態の表
示システムによれば、軌跡画像の表示属性が、指示体２０からの制御コードＡにより制御
されるので、軌跡画像の表示属性を、ユーザーＵが都度選択しなくてもよい。また、制御
コード２７１Ａの情報量は比較的小さいので、記憶部２７の記憶領域の容量の増大を抑制
することができる。
【００４６】
［第３実施形態］
上述した第２実施形態では、指示体２０の記憶部２７に制御コード２７１Ａが記憶され
、この制御コード２７１Ａと、プロジェクター１０の出力設定テーブル１８１Ａとに基づ
いて、プロジェクター１０が出力設定情報を取得していた。これに代えて、出力設定情報
を含む設定情報２７１Ｂが、指示体２０によって保持されてもよい。本実施形態において
、上述した第２実施形態と同じ符号を付した要素は、上述した第２実施形態と同等に機能
し、符号の末尾に「Ｂ」と付した要素は、上述した第２実施形態で説明した各要素に対応
した機能を実現する。
【００４７】
図１１は、記憶部２７に記憶された設定情報２７１Ｂの構成例を示す図である。図１１
に示すように、設定情報２７１Ｂは、表示属性情報と出力設定情報とを含んでいる。表示
属性情報は、上述した第２実施形態の出力設定テーブル１８１Ａに格納される表示属性情
報と同じ構成である。出力設定情報は、上述した第２実施形態の出力設定テーブル１８１
Ａに格納される出力設定情報と同じ構成で、ここでは、画像情報の出力手段毎に一組ずつ
記憶されている。
設定情報２７１Ｂは、操作パネル７０の操作、又はＰＣ３０から受信されたデータに基
づいて事前に設定される。本実施形態でも、ＰＣ３０と指示体２０との通信により、指示
体２０に設定情報２７１Ｂが設定されてもよい。
【００４８】
図１２は、表示システム１の動作を示すシーケンス図である。
プロジェクター１０のＣＰＵ１１は、ＰＣ３０から通信インターフェース１９を介して
取得した画像信号に基づいて投写部１６を制御し、スクリーン４０に背景画像を表示する
（ステップＳ１）。指示体２０のＣＰＵ２１は、電源がオンされると、発光部２５による
発光を開始する（ステップＳ２）。次に、ＣＰＵ１１は、指示体２０の発光光をカメラ部
１７によって撮像すると（ステップＳ３）、撮像した画像を解析して、スクリーン４０上
を指示する指示体の位置を検出する（ステップＳ４）。
【００４９】
次に、指示体２０のＣＰＵ２１は、記憶部２７に記憶した設定情報２７１Ｂの表示属性
情報を、通信インターフェース２６を介してプロジェクター１０に送信する（ステップＳ
２１Ｂ）。ＣＰＵ１１は、ステップＳ２１Ｂで送信された表示属性情報を取得し、取得し
た表示属性情報を設定する（ステップＳ２３Ｂ）。そして、ＣＰＵ２１は、指示体２０に
より指示されたスクリーン４０上の位置の軌跡を示す軌跡画像を生成して、背景画像に重
ねて描画（表示）するように投写部１６を制御する（ステップＳ５Ｂ）。この際、ＣＰＵ
１１は、ステップＳ２３Ｂで取得した表示属性情報が示す表示属性に従って軌跡画像を生
成する。
【００５０】
次に、ＣＰＵ１１は、スクリーン４０に表示される画像を表す画像情報の出力が指示さ
れたか否かを判定する（ステップＳ６）。ステップＳ６で「ＹＥＳ」と判定した場合、Ｃ
ＰＵ１１は、通信インターフェース１９を介して、指示体２０に対して出力設定情報の送
信を要求する（ステップＳ７Ｂ）。指示体２０のＣＰＵ２１は、通信インターフェース２
６を介して出力設定情報の要求を取得すると、この要求に応答して、設定情報２７１Ｂの
出力設定情報をプロジェクター１０へ送信する（ステップＳ８Ｂ）。
【００５１】
プロジェクター１０のＣＰＵ１１は、通信インターフェース１９を介して指示体２０か
らの出力設定情報を取得し（ステップＳ１０Ｂ）、取得した出力設定情報を用いて、スク
リーン４０に表示した画像を表す画像情報を出力する（ステップＳ１１Ｂ）。
例えば、出力手段として「メール送信」を使用する場合、ＣＰＵ１１は、メール受信端
末ＭＡのメールアドレスを用いて、画像情報を送信（出力）する。出力手段として「保存
」を使用する場合、ＣＰＵ１１は、ネットワークサーバー６０へ画像情報を送信（出力）
する。出力手段として「印刷」を使用する場合、ＣＰＵ１１は、ＵＳＢプリンター８０へ
画像情報を送信（出力）する。
【００５２】
以上説明した第３実施形態の表示システムによれば、上述した第２実施形態と同様、画
像情報を所望する出力先へ出力するための設定を、従来よりも短い時間で簡単に行えるよ
うにすることができる。また、本実施形態の表示システムでは、指示体２０に出力設定情
報が保持されているので、プロジェクター１０は出力設定テーブル１８１Ａを記憶しなく
てもよい。例えば、出力手段「メール送信」においては、電子メールの送信先の候補が多
くなる可能性があるが、プロジェクター１０に対してメールアドレスを設定しておかなく
ても、ユーザーＵの所望の送信先に画像情報を送信することができる。
【００５３】
［変形例］
本発明は、上述した実施形態と異なる形態で実施することが可能である。また、上述し
た各実施例および以下に示す各変形例は、各々を適宜に組み合わせてもよい。
上述した第１実施形態では、指示体２０において、１の手段につき２つの出力先に対応
していたが、１の手段につき３つ以上の出力先が選択可能でもよい。また、上述した第１
実施形態において、上述した第２実施形態又は第３実施形態の仕組みにより、表示属性情
報が事前に設定されておいてもよい。
上述した第２実施形態において、指示体２０に保持される制御コードは、指示体２０を
一意に識別する識別情報であってもよい。この場合、出力設定テーブル１８１Ａでは、指
示体２０の識別情報に対応付けて、表示属性情報、及び出力設定情報が格納される。
上述した各実施形態において、プロジェクター１０は、出力手段として「メール送信」
が選択された場合に、送信先のメールアドレスが事前に設定されていないときには、予め
決められたメールアドレスを用いて画像情報を送信でもよい。また、出力手段として「保
存」を使用する場合の出力先は、指示体２０の記憶部２７であってもよい。
【００５４】
指示体２０によって保持される出力先情報によって複数の出力先が特定された場合、Ｃ
ＰＵ２１は、この複数の出力先の中のどれを使用するのかを、例えば所定のメニュー画面
をスクリーン４０に表示させて、ユーザーＵに選択させてもよい。この場合、指示体２０
毎に出力先の候補が或る程度絞り込まれているので、ユーザーに強いられる操作の負担は
軽減される。
指示体２０への情報の設定方法は特に問わない。例えば、指示体２０は、２次元コード
等の符号化画像を読み取って、この符号化画像から得た出力先情報を設定してもよい。
上述した実施形態においては、表示装置として、フロントプロジェクション型のプロジ
ェクターが採用されているが、表示装置は、例えばリアプロジェクション型のプロジェク
ターや、液晶ディスプレイ等であってもよい。光源１６１は水銀ランプなどの放電型のラ
ンプであってもよい。液晶パネル１６２は、反射型の液晶パネルであってもよいし、液晶
パネル１６２の代わりにマイクロミラーアレイデバイス等を用いることもできる。
【００５５】
指示体２０の位置を検出する方法として、前述したように、カメラ部１７による撮像に
よる方法やライトカーテン等を用いる方法などがあるが、両者を併用してもよい。この場
合、ペンなどの発光光により位置を検出する指示体と、ユーザーの指のなどの反射光によ
り位置を検出する指示体とを、別の指示体として認識可能なので、例えば、ユーザーの指
による出力設定を特定の出力先に割り当てることが可能である。言い換えれば、反射光に
より位置を検出することが、指示体に保持されている出力先を特定する出力先情報を取得
することに相当する。
【００５６】
上述した実施形態において、プロジェクター１０のＣＰＵ１１が実現する各機能は、複
数のプログラムの組み合わせによって実現され、又は、複数のハードウェア資源の連係に
よって実現され得る。また、ＣＰＵ１１の機能が、プログラムを用いて実現される場合、
このプログラムは、磁気記録媒体（磁気テープ、磁気ディスク（ＨＤＤ（Hard Disk Driv
e）、ＦＤ（Flexible Disk））等）、光記録媒体（光ディスク等）、光磁気記録媒体、半
導体メモリー等のコンピューター読み取り可能な記録媒体に記憶した状態で提供されても
よいし、ネットワークを介して配信されてもよい。また、本発明は、表示方法として把握
することも可能である。
【符号の説明】
【００５７】
１…情報処理システム、１０…プロジェクター、１１，２１…ＣＰＵ、１１１…取得部、
１１２…出力制御部、１１３…位置検出部、１１４…処理実行部、１１５…設定部、１２
，２２…ＲＯＭ、１３，２３…ＲＡＭ、１４，２４…操作部、１５…画像処理部、１６…
投写部、１７…カメラ部、１８，２７…記憶部，１８１，１８１Ａ…出力設定テーブル、
１９，２６…通信インターフェース、２０…指示体、２４Ａ，２４Ｂ，２４Ｃ…操作子、
２５…発光部、２７１，２７１Ａ…制御コード、２７１Ｂ…設定情報、３０…ＰＣ、４０
…スクリーン、５０Ａ，５０Ｂ…ネットワークプリンター、６０…ネットワークサーバー
、７０…操作パネル、７１…外部記憶媒体、７１Ａ…ＵＳＢメモリー、７１Ｂ…ＳＤカー
ド、８０…ＵＳＢプリンター
【図１】
0006358058.tif 000002
【図２】
0006358058.tif 000003
【図３】
0006358058.tif 000004
【図４】
0006358058.tif 000005
【図５】
0006358058.tif 000006
【図６】
0006358058.tif 000007
【図７】
0006358058.tif 000008
【図８】
0006358058.tif 000009
【図９】
0006358058.tif 000010
【図１０】
0006358058.tif 000011
【図１１】
0006358058.tif 000012
【図１２】
0006358058.tif 000013